(57)【要約】【課題】  操作ボタンの表示形態を一定時間後に変更することで、操作ボタンがディスプレイに焼き付くことを防止することができる「電子装置、操作ボタンの表示方法及び表示プログラム」を提供する。【解決手段】  本発明の実施例に係る操作ボタンの表示制御プログラム２００は、操作ボタンを表示する操作ボタン表示手段２０２と、前記操作ボタンが表示されたとき、前記操作ボタンが継続して表示される表示時間をカウントするカウント手段２０４と、同一機能を有する表示形態の異なる操作ボタンの関係をを記憶する操作ボタン記憶手段２０６と、表示時間のカウントが一定時間を超えたか否かを判定する表示時間判定手段２０８と、表示時間が一定時間以上になったとき、操作ボタンに関する機能を認識する機能認識手段２１０と、認識された機能に基づき、同一機能を示す異なる表示形態の操作ボタンに変更する表示制御手段２１２とを備えている。【選択図】    図２
2015064812.tif 000002
【特許請求の範囲】
【請求項１】
ディスプレイと、
前記ディスプレイの表示領域内に操作ボタンを表示する操作ボタン表示手段と、
前記操作ボタンの表示時間をカウントするカウント手段と、
前記操作ボタンの表示時間が一定時間を越えたとき、前記操作ボタンを、前記操作ボタンと同一機能を有する異なる表示形態の操作ボタンに変更されるよう前記操作ボタン表示手段を制御する表示制御手段と、
を有する電子装置。
【請求項２】
前記表示制御手段は、前記操作ボタンの表示形態を文字による表記、または記号による表記に切り替える、請求項１に記載の電子装置。
【請求項３】
前記表示制御手段は、前記操作ボタンの表示形態を英語表記、または漢字表記に切り替える、請求項１に記載の電子装置。
【請求項４】
前記表示制御手段は、前記操作ボタンのサイズを変更する、請求項１ないし３いずれか１つに記載の電子装置。
【請求項５】
前記表示制御手段は、前記操作ボタンの表示枠の線種または形状を変更する、請求項１ないし４いずれか１つに記載の電子装置。
【請求項６】
前記表示制御手段は、前記操作ボタンの表示枠を点滅させる、請求項１ないし５いずれか１つに記載の電子装置。
【請求項７】
前記ディスプレイは、液晶タッチパネルであり、前記操作ボタンは、ユーザー入力される領域である、請求項１ないし６いずれか１つに記載の電子装置。
【請求項８】
ディスプレイの特定の領域に操作ボタンを表示するステップと、
前記操作ボタンの表示時間をカウントするステップと、
前記操作ボタンの表示時間が一定時間を越えたとき、前記操作ボタンを、前記操作ボタンと同一機能を有する異なる表示形態の操作ボタンに変更されるよう表示制御するステップと、
を有する操作ボタンの表示制御方法。
【請求項９】
電子装置により実行され、操作ボタンの表示を制御する表示制御プログラムであって、
ディスプレイの表示領域内に操作ボタンを表示するステップと、
前記操作ボタンの表示時間をカウントするステップと、
前記操作ボタンの表示時間が一定時間を越えたとき、前記操作ボタンを、前記操作ボタンと同一機能を有する異なる表示形態の操作ボタンに変更するステップと
を有する、操作ボタンの表示制御プログラム。
【発明の詳細な説明】
【技術分野】
【０００１】
本発明は、操作ボタン等を表示可能なタッチパネルを用いたディスプレイ装置に関し、特に、操作ボタン等の焼き付きを防止する表示制御技術に関する。
【背景技術】
【０００２】
現在、テレビ、パソコン、スマートフォン、タブレット端末、車載装置など、様々な電子装置において、液晶ディスプレイが利用されている。液晶ディスプレイでは、同一の表示画面が長時間にわたり表示された場合、他の表示画面に切り替えられても、前の表示画面が焼き付いてしまい、その残像がゴーストイメージとして映し出されてしまうことがある。これは、液晶パネルの帯電によるものであり、電源を切った後、しばらく放置することで解消される。また、電子装置は、液晶ディスプレイの焼き付きを防止するため、一定時間後に、スクリーンセーバーを起動することで、同一の表示画面が長時間にわたり表示されないような対策が成されている。
【０００３】
そのほかの対策として、特許文献１には、液晶パネル周囲の温度を関し、所定値以上の温度上昇を検知した場合には、例えば全面を均一な黒色の焼き付き防止用画面に更新することができる液晶表示装置が開示されている（特許文献１）。
【先行技術文献】
【特許文献】
【０００４】
【特許文献１】特開２００４−２１９７１５号公報
【発明の概要】
【発明が解決しようとする課題】
【０００５】
例えば、車載装置において、メインメニューや設定画面などの表示画面では、ユーザーの操作が一定時間以上行われない場合、ディスプレイをオフしたり、スクリーンセーバーを起動することで、同一画面が長時間表示されないような対策が施されている。しかしながら、誘導経路を案内するガイド画面では、ルート案内による地図画像は変動するのに対して、移動、拡大や縮小など地図を操作する操作ボタンは、同じ位置に長時間表示される。また、ＤＶＤを再生する再生画面では、再生画像である映像は常に変化するが、再生、停止、ボリュームなどを指示する操作ボタンは、同じ位置に長時間表示される。これら操作ボタンは、同じ位置に長時間表示されるため、その画像がディスプレイに焼き付いてしまうことがあった。
【０００６】
図７は、従来の焼き付け防止方法を説明する図である。例えば、ＤＶＤなどの映像を再生する再生画面４００には、映像を再生するための再生ボタン４０２ａ、停止するための停止ボタン４０２ｂなどの複数の操作ボタン４０２が画面下部に表示されている。ユーザーは、このような操作ボタン４０２をタッチすることで、再生動作に関する指示を行うことができる。従来の電子装置は、このような操作ボタン４０２の焼き付けを防止するため、操作指示から一定時間経過すると、当該操作ボタン４０２を非表示にするように制御している。
【０００７】
しかしながら、操作ボタン４０２が非表示であると、再度、ユーザーが操作指示を行うとき、操作ボタン４０２の位置が不明になってしまい、操作ボタン４０２を表示するためのタッチ操作が必要となり、ユーザーは煩わしく感じていた。
【０００８】
本発明は、このような従来の課題を解決し、ユーザーの利便性を図りつつ、操作ボタンがディスプレイに焼き付くことを防止することができる電子装置、操作ボタンの表示方法及び表示プログラムを提供することを目的とする。
【課題を解決するための手段】
【０００９】
本発明に係る電子装置は、ディスプレイと、前記ディスプレイの表示領域内に操作ボタンを表示する操作ボタン表示手段と、前記操作ボタンの表示時間をカウントするカウント手段と、前記操作ボタンの表示時間が一定時間を越えたとき、前記操作ボタンを、前記操作ボタンと同一機能を有する異なる表示形態の操作ボタンに変更されるよう前記操作ボタン表示手段を制御する表示制御手段とを有する。
【００１０】
好ましくは、前記表示制御手段は、前記操作ボタンの表示形態を文字による表記、または記号による表記に切り替える。また、前記表示制御手段は、前記操作ボタンの表示形態を英語表記、または漢字表記に切り替える。また、前記表示制御手段は、前記操作ボタンのサイズを変更する。
【００１１】
好ましくは、前記表示制御手段は、前記操作ボタンの表示枠の線種または形状を変更する。また、前記表示制御手段は、前記操作ボタンの表示枠を点滅させる。前記ディスプレイは、液晶タッチパネルであり、前記操作ボタンは、ユーザー入力される領域である。
【００１２】
本発明に係る操作ボタンの表示制御方法は、ディスプレイの特定の領域に操作ボタンを表示するステップと、前記操作ボタンの表示時間をカウントするステップと、前記操作ボタンの表示時間が一定時間を越えたとき、前記操作ボタンを、前記操作ボタンと同一機能を有する異なる表示形態の操作ボタンに変更されるよう表示制御するステップとを有する。
【００１３】
本発明に係る操作ボタンの表示制御プログラムは、電子装置により実行され、操作ボタンの表示を制御する表示制御プログラムであって、ディスプレイの表示領域内に操作ボタンを表示するステップと、前記操作ボタンの表示時間をカウントするステップと、前記操作ボタンの表示時間が一定時間を越えたとき、前記操作ボタンを、前記操作ボタンと同一機能を有する異なる表示形態の操作ボタンに変更するステップとを有する。
【発明の効果】
【００１４】
本発明によれば、操作ボタンの表示形態を一定時間後に他の表示形態に変更することで、操作ボタンを実質的に表示させつつ、操作ボタンがディスプレイに焼きつくことを防止することができる。
【図面の簡単な説明】
【００１５】
【図１】本発明の実施例に係る電子装置の一例である車載装置を示す図である。
【図２】本発明の実施例に係る操作ボタンの表示制御プログラムの機能的な構成例を示すブロック図である。
【図３】本発明の実施例に係る操作ボタンリストの一例を示す図である。
【図４】表示制御手段による操作ボタンの変更例を示す図である。
【図５】本発明の実施例の車載装置における操作ボタンの表示制御処理に関するフローチャートである。
【図６】本実施例のその他の操作ボタンの表示変更例を示す図である。
【図７】従来の焼き付け防止方法を説明する図である。
【発明を実施するための形態】
【００１６】
本発明の実施の形態について図面を参照して詳細に説明する。本発明の好ましい態様に係る電子装置は、タッチ操作によるユーザー入力可能なタッチパネルを含み、表示領域内に映し出される操作ボタン上に、ユーザー入力の指示領域を設定可能なタッチパネルを備える。
【００１７】
本発明の電子装置は、ノート型ＰＣ、タブレット型ＰＣ、パーソナルコンピュータ、カーナビゲーション装置、ゲーム機器、施設ガイド用表示装置やその他タッチ操作可能なディスプレイ装置であることができる。このような電子装置は、操作ボタンが同じ位置に長時間表示される態様を有する。
【実施例】
【００１８】
次に、本発明の実施例に係る電子装置の一例として車載装置について図面を参照して説明する。図１は、車載装置の構成例を示すブロック図である。車載装置１０は、ＣＤ、ＤＶＤ、ブルーレイディスク、ハードディスク装置や地上波デジタルテレビ放送などから得られたオーディオデータやビデオデータを再生するマルチメディア再生部２０と、自車位置周辺の道路地図を表示したり、目的地までの誘導経路を案内するナビゲーション部４０と、車内に持ち込まれるスマートフォンと連携し、スマートフォンをアクセスポイントとして外部ネットワークと通信を行う通信部６０と、液晶ディスプレイを含み、表示画像上にユーザー入力としての指示領域を設定可能なタッチパネル８０と、ディスプレイに表示するためのマルチメディア再生画像やナビゲーション画像など、各種アプリケーションの表示画面を生成する画像処理部１００と、メディア再生や誘導経路の案内に伴う音声を出力する音声出力部１２０と、プログラムやデータ等を記憶する記憶部１４０と、タッチパネル上のユーザーの指示領域や各種スイッチなど、ユーザーからの指示を受け取る入力部１６０、マイクロコントローラやマイクロプロセッサ等を含みプログラムを実行することで各部を制御する制御部１８０を含んで構成される。
【００１９】
タッチパネル８０は、公知のように、液晶ディスプレイと一体化した入力表示ユニットとして構成され、指などが接触した座標位置を検出可能な入力装置である。タッチパネル８０は、好ましくは投射型静電方式が用いられ、静電容量の変化によって座標位置を検出する。
【００２０】
画像処理部１００は、タッチパネル８０に画像や映像を表示するため、マルチメディア再生部２０やナビゲーション部４０から画像データを取得し、再生映像、目的地までの誘導経路を案内するときの道路地図、車両の運転支援を行うための支援情報提示画面、車載装置の各種設定をするためのメニュー画面などを生成する。さらに画像処理部１００は、ユーザー入力としての指定領域に対応する操作ボタンの画像も生成する。音声出力部１１２は、誘導経路の案内や各種警告等を出力するスピーカ等を含む。
【００２１】
記憶部１４０は、プログラム以外にも、車載装置１０のナビゲーション動作に必要な道路地図データや道路交通データなどを記憶している。一つの例では、道路地図データやそれに含まれる施設データのデータベースを蓄積することができる。他の例では、制御部１８０は、外部ネットワークを介して道路地図情報や道路交通情報など各種データ配信サイトにアクセスし、そこから必要な情報を取得することができる。また、記憶部１４０は、各種画面において利用される、操作ボタンに関する情報、例えば操作ボタンの機能や操作ボタンの画像データを記憶することができる。
【００２２】
制御部１８０は、好ましい態様では、ＲＯＭ、ＲＡＭなどを含むマイクロコントローラから構成され、ＲＯＭまたはＲＡＭは、車載装置の各部の動作を制御するための種々のプログラムを格納することができる。さらに本実施例では、タッチパネル８０に表示される操作ボタンの表示時間をカウントし、一定時間後に、当該操作ボタンと同一機能を有する異なる表示形態の操作ボタンにに変更する表示制御プログラムを保持する。
【００２３】
本実施例による操作ボタンの表示制御プログラムの機能的な構成を図２に示す。表示制御プログラム２００は、ディスプレイ上に設定されたユーザー入力としての指示領域に操作ボタンを表示する操作ボタン表示手段２０２と、操作ボタンが表示されたとき、その操作ボタンが継続して表示される表示時間をカウントするカウント手段２０４と、操作ボタンと同一機能に有する表示形態が異なる操作ボタンに関する操作ボタン情報をを記憶する操作ボタン記憶手段２０６と、カウント手段２０４によるカウントが一定時間を超えたか否かを判定する表示時間判定手段２０８と、操作ボタンの表示時間が一定時間以上になったとき、その操作ボタンに割り当てられた機能を認識する機能認識手段２１０と、認識された機能に基づき、操作ボタン記憶手段２０６の操作ボタン情報を参照して同一機能を示す他の操作ボタンに表示を変更するように操作ボタン表示手段２０２を制御する表示制御手段２１２とを備えている。本実施例では、表示制御プログラム２００は、制御部１８０により実行されるが、画像処理部１００により実行されてもよい。
【００２４】
操作ボタン表示手段２０２は、画像処理部１００によってタッチパネル８０に表示すべき画像が生成されるとき、表示画像に対応する操作ボタンの画像データを表示する。例えば、メディア再生画面であれば、再生ボタン、停止ボタン、ボリュームボタンなどが表示される。また、ナビゲーション画面であれば、地図の縮尺を変更する拡大ボタンや縮小ボタン、表示エリアを移動するためのスクロールボタンなどが表示される。操作ボタンの画像データは、操作ボタンと関連付けして記憶部１４０に格納されており、操作ボタン表示手段２０２は、操作ボタンを表示するとき、操作ボタン記憶手段２０６を参照し、記憶部１４０から該当する画像データを読み出し、これを表示する。例えば、画像データには、操作ボタンの機能を識別する機能ＩＤ、操作ボタンの表示形態を識別する表示形態識別情報などが付加されている。
【００２５】
カウント手段２０４は、操作ボタン表示手段２０２により操作ボタンが表示されたとき、その表示時間をカウントする。カウント手段２０４は、複数の操作ボタンが表示された場合には、その表示時間を個別にカウントするが、複数の操作ボタンが全体として同一のタイミングで表示されるような場合には、代表的な操作ボタンのみの表示時間をカウントするようにしてもよい。例えば、メディア再生画面においては、代表的な操作ボタンである再生ボタンのみをカウントしてもよい。このような代表的な操作ボタン、すなわち、カウントの対象となる操作ボタンは、ユーザーが適宜設定することができる。
【００２６】
操作ボタン記憶手段２０６は、１つの操作ボタンに含まれる種々の表示形態の対応関係を示す操作ボタン情報を記憶する。言い換えれば、操作ボタン情報は、同一機能を有する表示形態が異なる操作ボタンの関係を記憶する。操作ボタンには、例えば、英語表記、漢字表記、または記号（図形）表記などがあり、これらは表示形態が異なるが、同一の機能を示す。
【００２７】
図３は、操作ボタン記憶手段２０６が記憶する操作ボタン情報の一例を示す図である。操作ボタン情報には、操作ボタンの機能を識別する機能ＩＤ、同一機能ＩＤに含まれる操作ボタンの表示形態を識別する表示形態ＩＤとの対応関係が含まれている。ここでの表示形態ＩＤは、英語表記、漢字表記、記号表記を識別するものであり、例えば、「再生機能」は、「ＰＬＡＹ」、「再生」、「再生記号」の表示形態で表すことが可能である。なお、図３に示す表示形態ＩＤは一例であって、これ以外の表示態様を有するものであってもよい。また、同一機能を有する異なる表示形態の対応関係は、ユーザーによって設定することも可能である。上記したように、操作ボタンの画像データには、機能ＩＤおよび表示形態ＩＤが付加されており、操作ボタン表示手段２０２は、操作ボタン記憶手段２０６の操作ボタン情報を参照し、操作ボタンの画像データを記憶部１４０から読み出し、これを表示する。
【００２８】
表示時間判定手段２０８は、カウント手段２０４によりカウントされた時間に基づき、操作ボタンの表示時間が一定時間を超えたか否かを判定する。判定条件には、例えば、１０分、または１５分など、操作ボタンの表示がディスプレイに焼き付きしない程度の時間が設定される。表示時間判定手段２０８の判定結果は、機能認識手段２１０および表示制御手段２１２へ提供される。
【００２９】
機能認識手段２１０は、表示時間判定手段２０８により表示時間が一定時間を超えたと判定されたとき、その操作ボタンの画像データに付加された機能ＩＤおよび表示形態ＩＤを抽出することで、操作ボタンの機能および表示形態を認識する。
【００３０】
表示制御手段２１２は、表示時間が一定時間を超えた操作ボタンの機能ＩＤおよび表示形態ＩＤに基づき、同一機能を示す操作ボタンであって、表示形態の異なる操作ボタンに変更するように、操作ボタン表示手段２０２を制御する。この指令に応答して、操作ボタン表示手段２０２は、操作ボタン情報（図３）を参照して、現在表示している操作ボタンの機能ＩＤと同一であるが、表示形態ＩＤと異なる表示形態ＩＤを検索し、検索された表示形態ＩＤに対応する操作ボタンを表示する。例えば、現在表示している操作ボタンが「再生機能」であり、かつ英語表記であるならば、漢字表記または記号表記が選択される。なお、表示形態の異なる操作ボタンの検索は、表示制御手段２１２が行ってもよく、その場合には、表示制御手段２１２の検索結果が操作ボタン表示手段２０２へ提供される。これにより、操作ボタンは、一定時間ごとに、異なる表記のボタン表示に切り替えられる。
【００３１】
図４は、表示制御手段による操作ボタンの変更例を説明する図である。車載装置１０のディスプレイには、メディア再生画面２５０が表示されている。このメディア再生画面２５０には、複数の操作ボタン２５２、例えば、映像データの再生を指示する操作ボタン２５２ａ、映像データの再生の停止を指示する操作ボタン２５２ｂが表示されている。
【００３２】
ある時点では、図４（ａ）に示すように、操作ボタン２５２は英語表記で表示されているが、表示制御手段２１２は、一定時間を経過すると、図４（ｂ）に示す漢字表記や図４（ｃ）に示す記号表記など他の表示形態に変更する。例えば、操作ボタン２５２ａは、「ＰＬＡＹ」、「再生」、「再生記号」とそれぞれ表記が一定時間後に変更される。また、操作ボタン２５２ｂは、「ＳＴＯＰ」、「停止」、「停止記号」と表記が変更される。同一機能に複数の表示形態が存在する場合には、これらの表示形態が定期的に一定の時間間隔で変更される。これにより、操作ボタン２５２は、常時、定位置に表示されるが、機能を示す文字や記号が定期的に変化するため、操作ボタンの表示がディスプレイに焼き付くことを防止することができる。
【００３３】
次に、図５のフローチャートに従って、車載装置における操作ボタンの表示制御について説明する。まず、車載装置１０にて、例えば、ＤＶＤなどのメディアが挿入されると、マルチメディア再生部２０により、ＤＶＤ再生用のソフトウェアが起動し、ＤＶＤに記憶された映像を再生するための再生画面が表示される。
【００３４】
再生画面は、少なくともＤＶＤ映像を再生するメイン画像領域と、そのメイン画像領域の外縁に、再生動作等を指示する操作ボタンを配列する指示画像領域を含んで構成される。操作ボタン表示手段２１０は、図４（ａ）に示すように、当該指示画像領域に、再生ボタン、停止ボタンなどの操作を指示する操作ボタン２５２を表示する（Ｓ１０１）。
【００３５】
カウント手段２０４は、操作ボタン２５２が表示されると、その表示時間のカウントを開始する（Ｓ１０２）。これにより、操作ボタンの表示時間がモニタリングされる。複数の操作ボタンが同時に表示された場合、カウント手段２０４は、いずれか１つの代表的な操作ボタンのみをカウントしてもよい。
【００３６】
次に、表示時間判定手段２０８は、カウント手段２０４によるカウントに基づき、操作ボタンの表示時間が一定時間以上であるか否かを判定する（Ｓ１０３）。カウントした時間が一定時間内である場合には、ステップＳ１０２に戻り、表示時間のカウントを継続する。
【００３７】
操作ボタンの表示時間が一定時間以上であると判定されたとき、機能認識手段２１０は、現在表示されている操作ボタンの画像データに基づき、その機能を識別するための機能ＩＤおよび表示形態ＩＤを抽出する（Ｓ１０４）。これにより、ディスプレイ上の表示されている操作ボタンの機能および表示形態を認識することができる。
【００３８】
次に、表示制御手段２１２は、抽出された機能ＩＤおよび表示形態ＩＤを用いて操作ボタン情報を参照し、同一機能ＩＤの中から異なる表示形態ＩＤを検索し、その検索結果が操作ボタン表示手段２０２へ提供される（Ｓ１０５）。操作ボタン表示手段２０２は、検索された表示形態ＩＤに該当する操作ボタンの画像データを記憶部１４０から読み出す（Ｓ１０６）。そして、操作ボタン表示手段２０２は、図４（ｂ）に示すように、現在表示されている英語表記の操作ボタンを、漢字表記の操作ボタンに変更する（Ｓ１０７）。このように、同一機能を有する操作ボタンの表記を変更することで、事実上、操作ボタンの表示を継続させつつ、ディスプレイへの焼き付けを防止することができる。
【００３９】
上記実施例では、異なる表示形態として、操作ボタンの表記を変更する例を示したが、表示制御手段は、表記の変更の限らず、表記サイズの変更をしてもよい。また、表示制御手段は、表記の変更に限らず、図６に示すように、操作ボタンの表記と併せて表示枠の形状（矩形、楕円など）を変更することもできる。また、表示枠の線種を実線、点線、または破線など変更したり、点滅表示させることも可能である。このように、表示制御手段は、ディスプレイを構成する特定の画素が長時間オン状態にならないように、操作ボタンの表示形態を変更することができる。
【００４０】
以上により、操作ボタンを非表示とすることなく、ディスプレイへの操作ボタンの焼き付けを防止することができる。ユーザーは、操作ボタンが常に表示されているため、すぐに指示操作を実行することができ、電子装置の利便性が向上する。
【００４１】
本発明の好ましい実施の形態について詳述したが、本発明は、特定の実施形態に限定されるものではなく、特許請求の範囲に記載された発明の要旨の範囲において、種々の変形・変更が可能である。
【符号の説明】
【００４２】
１０：車載装置                              ２０：マルチメディア再生部
４０：ナビゲーション部                      ６０：通信部
８０：タッチパネル                          １００：画像処理部
１２０：音声制御部                          １４０：記憶部
１６０：入力部                              １８０：制御部
２００：表示制御プログラム                  ２０２：操作ボタン表示手段
２０４：カウント手段                        ２０６：操作ボタン記憶手段
２０８：表示時間判定手段                    ２１０：機能認識手段
２１２：表示制御手段
【図１】
2015064812.tif 000003
【図２】
2015064812.tif 000004
【図３】
2015064812.tif 000005
【図４】
2015064812.tif 000006
【図５】
2015064812.tif 000007
【図６】
2015064812.tif 000008
【図７】
2015064812.tif 000009